(57)【特許請求の範囲】
【請求項１】
ディスプレイが装備されたディスプレイ部材、ディスプレイに対するコネクタが装備された基板部材、及び、一方の面にディスプレイ部材を保持し他方の面に基板部材を保持する板状のホルダ部材からなるディスプレイユニットを備えた携帯電話機であって、
前記基板部材がフレキシブル基板により形成され、前記フレキシブル基板の一部が前記ホルダ部材に対する高さが低くなるように形成され、前記低く形成された部分の前記ホルダ部材と反対側の面にコネクタを搭載するとともに、前記ホルダ部材が前記基板部材の前記低く形成された部分に搭載された前記コネクタを内部に収容する第１の凹部を備え、
前記基板部材は、前記コネクタが前記ホルダ部材の前記第１の凹部に嵌め込まれるようにして、前記ホルダ部材に保持されたことを特徴とする携帯電話機。
【請求項２】
前記ホルダ部材は、前記基板部材の部品実装面を保持するリブを備え、
前記基板部材は、前記部品実装面が前記ホルダ部材のリブに、前記ホルダ部材と対面するようにして前記ホルダ部材に保持されたことを特徴とする請求項１記載の携帯電話機。
【請求項３】
前記ディスプレイ部材が、画像信号を入力するための部品が収納された凸部を備えるとともに、前記ホルダ部材が、前記ディスプレイ部材の凸部を内部に収納する第２の凹部を備え、
前記ディスプレイ部材は、前記凸部が前記ホルダ部材の第２の凹部に嵌め込まれるようにして、前記ホルダ部材に保持されたことを特徴とする請求項１記載の携帯電話機。
【発明の詳細な説明】
【技術分野】
【０００１】
本発明は、薄型でかつ強靭なディスプレイユニットを備えた携帯電話機に関する。
【背景技術】
【０００２】
従来の携帯電話機のディスプレイ構造において、通常、基板が実装面を筐体の内側に向けるようにして、ディスプレイホルダ（ディスプレイユニットを保持するホルダ）に保持されている。このため、筐体にディスプレイユニットを収納する際に、電気的シールドを行うための部品が必要になってしまう。よって、従来の携帯電話機を薄型に形成しようとした際には困難が生じてしまっていた。
【０００３】
そこで、表示部の堅牢性を維持しつつ表示部の薄型化を図り得る携帯電話機が提案されている（特許文献１参照）。この携帯電話機は、本体ユニットと表示ユニットとが接続され、表示ユニットに表示パネルを備えたクラムシェル型の携帯電話機で、表示パネルに対して前面におけるほぼ全面を覆う透明の緩衝材と、表示パネルに対して裏面におけるほぼ全面を覆う緩衝材とを有しているものである。
【特許文献１】特開２００６−１１９２９９号公報
【発明の開示】
【発明が解決しようとする課題】
【０００４】
緩衝材を用いた構造では、ディスプレイユニットを保持するホルダの厚みが、基板からディスプレイユニットまでの間のみとなるため、ディスプレイホルダの厚みを厚くして構造上の強度を確保することが難しいという問題があった。
【０００５】
本発明は、上記課題を鑑みてなされてものであり、ディスプレイユニットを備えた携帯電話機であって、筐体の厚みを厚くすることなく、ディスプレイユニットの強度を高めることができる携帯電話機を提供することを目的とする。
【課題を解決するための手段】
【０００６】
上記課題を解決するために、本発明に係る携帯電話機は、ディスプレイが装備されたディスプレイ部材、ディスプレイに対するコネクタが装備された基板部材、及び、一方の面にディスプレイ部材を保持し他方の面に基板部材を保持する板状のホルダ部材からなるディスプレイユニットを備えた携帯電話機であって、前記基板部材がフレキシブル基板により形成されるとともに、前記ホルダ部材が前記基板部材のコネクタを内部に収納する第１の凹部を備え、前記基板部材は、コネクタが前記ホルダ部材の第１の凹部に嵌め込まれるようにして、前記ホルダ部材に保持されたことを特徴とする。
【発明の効果】
【０００７】
本発明に係る携帯電話機によると、ディスプレイに対するコネクタを備えた基板部材をフレキシブル基板で形成し、ディスプレイホルダに凹部やリブを設けることで、この基板部材がディスプレイホルダに設置される際に、基板部材に設けられたコネクタ等の凸状部品が、ディスプレイホルダの凹部やリブの形状に合わせて設置されることにより、シールド効果を保ちつつ、また筐体の厚みを厚くすることなく、ディスプレイユニットの強度を高めることが可能となる。
【発明を実施するための最良の形態】
【０００８】
本発明に係る携帯電話機の実施形態について、添付図面を参照しながら説明する。本発明に係る携帯電話機として、複数の筐体が開閉自在に結合されてなるクラムシェル型の携帯電話機１を例にあげて説明する。図１は、携帯電話機１の開いた状態を示す斜視図である。
【０００９】
携帯電話機１は、図１に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１０】
上筐体１０の内面（下筐体１１に対面する側の面）１０ａには、文字や画像等からなる画面を表示するための液晶ディスプレイ１３、音声を出力するためのスピーカ１４が設けられている。これらの液晶ディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１１】
下筐体１１の内面（上筐体１０に対面する側の面）１１ａには、例えば、カーソルや表示画面を上下左右に移動させるための十字キーや、項目を選択するための選択キーや、数字を入力するための数字キー、発信処理を行うための発信キー等の操作キー１５が設けられている。また下筐体１１の内面には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１２】
図２は、上筐体１０の内部に収納されるディスプレイユニット１３Ａを外面１０ｂの側から見た状態を示す分解斜視図である。また、図３は、上筐体１０の内部に収納されるディスプレイユニット１３Ａを内面１０ａの側から見た状態を示す分解斜視図である。図２及び図３に示すように、ディスプレイユニット１３Ａは、ディスプレイ部材２０、ホルダ部材３０、及び基板部材４０により構成されていて、ディスプレイ部材２０及び基板部材４０が板状のホルダ部材３０の内面３１ａ及び外面３１ｂにそれぞれ設置された状態で、上筐体１０の内部に収納される。
【００１３】
ディスプレイ部材２０は、液晶ディスプレイ１３が装備された基板であるディスプレイ本体２１を備えている。ディスプレイ本体２１の内面２１ａには、文字や画像等からなる画面を表示する液晶ディスプレイ１３のディスプレイパネル２２が備えられている。また、ディスプレイ部材２０の外面２１ｂには、ディスプレイパネル２２に画面を表示するための画像信号を入力する部品等が収納された凸部２３が設けられている。
【００１４】
基板部材４０は、フレキシブル基板（ＦＰＣ基板）からなる基板本体４１を備えている。基板本体４１の内面４１ａは、液晶ディスプレイ１３に画像信号を入力するための回路等の基板部品が実装される基板部品実装部４２が設けられている。また、基板本体４１の外面４１ｂは、基板部品実装部４２に画像信号を入力するための上下接続用ＢｔｏＢコネクタ４３が凸状に設けられている。さらに、基板本体４１の外面４１ｂは、ディスプレイ部材２０のディスプレイパネル２２に対して画像信号を送信するためのディスプレイコネクタ４４が凸状に設けられている。
【００１５】
ホルダ部材３０は、板状に形成されたディスプレイホルダであり、ディスプレイ部材２０や基板部材４０を設置するためのホルダ本体３１を備えている。ホルダ本体３１の内面３１ａは、ディスプレイ部材２０が設置される面であり、ディスプレイ部材２０のディスプレイ部品が収納された凸部２３が内部に収納される凹部３２が設けられている。
【００１６】
ディスプレイ本体３１の外面３１ｂは、基板部材４０が設置される面であり、基板部材４０の上下接続用ＢｔｏＢコネクタ４３が内部に収納される凹部３３が設けられている。また、ディスプレイ本体３１の外面３１ｂは、基板部材４０のディスプレイコネクタ４４が内部に収納されるための凹部３４が設けられている。さらにホルダ部材３０の外面３１ｂは、基板部材４０の基板部品実装部４２がホルダ部材３０に対して対面するように（上筐体１０の外側方向（内面１０ａ側の方向）を向くように）収納されるために基板部品実装部４２を保持するリブ３５が、凸状に設けられている。なお、このリブ３５に基板部品実装部４２が当接した際に、基板部品実装部４２とホルダ部材３０との間に空間が生成される。
【００１７】
携帯電話機１の上筐体１０に、図２及び図３に示すように、ディスプレイ部材２０、ホルダ部材３０、基板部材４０が順番に積層されるようにして収納される。この際、ホルダ部材３０の凹部３２にはディスプレイ部材２０の凸部２２が嵌め込まれるとともに、ディスプレイ部材２０の凹部３３に基板部材４０の上下接続用ＢｔｏＢコネクタ４３が、端子が表面に露出するようにして嵌め込まれる。
【００１８】
また、ホルダ部材３０の凹部３４には基板部材４０のディスプレイコネクタ４４が嵌め込まれるとともに、ホルダ部材３０のリブ３５に基板部材４０の基板部材実装部４２が、実装部分をディスプレイ部材３０の側に向けるようにして保持される。
【００１９】
図４（Ａ）は、ディスプレイ部材２０、ホルダ部材３０、基板部材４０が順番に積層されてなるディスプレイユニット１３Ａを示す正面図である。ディスプレイユニット１３Ａにおいて、基盤部材４０の上下接続用ＢｔｏＢコネクタ４３、及びディスプレイコネクタ４４が上筐体１０の内側方向に露出している。これにより、下接続用ＢｔｏＢコネクタ４３やディスプレイコネクタ４４に端子を接続することができる。
【００２０】
一方で、ディスプレイユニット１３Ａにおいて、基板部品実装部４２が上筐体１０の外側方向に向くようにして設置されているため、実装部分が上筐体１０の内側方向に露出していない。これにより、基板部品実装部４２に対するシールド部材を設ける必要がなくなり、ディスプレイユニット１３Ａ（すなわち上筐体１０）を厚くすること無く形成することが可能となる。
【００２１】
また、図４（Ｂ）は、ディスプレイ部材２０、ホルダ部材３０、基板部材４０が積層されるようにして上筐体１０に収納された状態を示す側面図である。この状態において、ホルダ部材３０内の凹部３２の内部で、基板部材４０の上下接続用ＢｔｏＢコネクタ４３が上筐体１０の内側を向くように収納されている。また、基板部材４０の基板部品実装部４２が、ホルダ部材３０のリブ３５によって実装部分が上筐体１０の外側方向（内面１０ａ側の方向）を向くように保持されることにより、ホルダ部材３０の裏面３１ｂと接することなく、基板部品実装部４２とホルダ部材３０との間に空間が生成されている。また、基板部材４０のディスプレイコネクタ４３が、ホルダ部材３０の凹部３４の内部に収納されている。また、ディスプレイ部材２０の液晶ディスプレイ１３の部品が収納された凸部２３が内部に凹部３２に収納されている。
【００２２】
このように、ディスプレイ部材２０や基板部材４０をホルダ部材３０に設置する際に、ディスプレイ部材２０や基板部材４０において凸状に形成されている部分を、ホルダ部材３０の凹部に収納されるようにしてホルダ部材３０に設置することで、ディスプレイユニット１３Ａの全体の厚さを厚くすること無く、ディスプレイユニット１３Ａの全体の強度を高めることができる。また、基板部品実装部４２が上筐体１０の外側方向（内面１０ａ側の方向）に向けて設置されることにより、基板部品実装部４２に対するシールド部材を設ける必要がなくなり、ディスプレイユニット１３Ａの全体の厚さを厚くすること無く形成することができる。
【００２３】
ただし、基板部品実装部４２を上筐体１０の外側方向（内面１０ａ側の方向）に向けて設置した構造では、コネクタ等を従来通りに、ホルダ部材３０の反対面（外側面）に配置すると、その分厚みが厚くなってしまうが、基板部材４０をフレキシブル基板にして、ホルダ部材３０における基板部材４０の各部分の取り付け位置（高さ）を変えることにより、ディスプレイユニット１３Ａの全体の厚みを増すことなくコネクタを配置できる。
【００２４】
図５（Ａ）に、携帯電話機１のディスプレイユニット１３Ａの作用を説明するための図を示す。図５（Ａ）に示すように、携帯電話機１のディスプレイユニット１３Ａにおいて、ホルダ部材３０に設けられた凹凸に合わせて基板部材４０が組み込まれているため、ホルダ部材３０の厚さＢと、ディスプレイユニット１３Ａの全体の厚さＣとが、ほぼ同程度の厚さとなり、ディスプレイユニット１３Ａが薄型に形成されていることがわかる。
【００２５】
また、ホルダ部材３０が凹部やリブを備えた形状に形成されていて、基板部材４０がこの凹部やリブにより保持されるため、凹部やリブを有さない単純な板状のホルダ部材を用いた場合に比べて、ディスプレイユニット１３Ａの強度が高められることがわかる。
【００２６】
一方、図５（Ｂ）に、従来の携帯電話機において、ディスプレイユニットの強度を高めようとした場合による作用を説明するための図を示す。図５（Ｂ）に示すように、従来の携帯電話機の強度を高めようとした場合では、ホルダ部材Ｅの一方の面にディスプレイ部材Ｆが嵌め込まれるとともに、ホルダ部材Ｅのもう一方の面に基板部材Ｇが設置され、基板部材Ｇに備えられた基板部品実装部Ｈや上下接続用ＢｔｏＢコネクタＩやディスプレイコネクタＪが、基板部材Ｇから突出するような構造となる。よって、従来の携帯電話機１は、ディスプレイユニットの全体の厚さが、ホルダ部材Ｅの厚さＢよりだいぶ厚くなってしまう。また、基板部材Ｇの基板部品実装部Ｈが筐体の内側方向に向いて設置されているため、この基板部品実装部Ｈに対するシールド部材を設ける必要が生じてしまい、従来の携帯電話機によって強度を高めようとすると、さらに厚く形成されざるを得ないことがわかる。
【００２７】
本発明に係る携帯電話機１によると、ディスプレイ部材２０やフレキシブル基板で形成された基板部材４０がホルダ部材３０に設置される際に、ディスプレイ部材２０や基板部材４０に設けられた凸状の部品が、ホルダ部材３０の凹凸に合わせて設置されることにより、ディスプレイユニット１３Ａの全体の厚みを大きくすることなく、強度を高めることが可能となる。この際、基板部材４０をフレキシブル基板で形成することにより、基板部材４０の各部分の取り付け位置（高さ）を変えて、ホルダ部材３０の凹部の内部にコネクタを配置することにより、ディスプレイユニット１３Ａの全体の厚みを厚くすることなく強度を高めることが可能となる。
【００２８】
また、本発明に係る携帯電話機１によると、基板部材４０がホルダ部材３０に、基板部品実装部４２の実装部分が上筐体１０の外側方向（内面１０ａ側の方向）を向くように設置されることにより、ホルダ部材３０によって基板部材４０の電気的シールドを行うことが可能となる。
【００２９】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、携帯テレビ等、液晶ディスプレイを備えた電子機器であれば、任意の電子機器であって良い。
【図面の簡単な説明】
【００３０】
【図１】本発明に係る携帯電話機を示す斜視図。
【図２】本発明に係る携帯電話機のディスプレイユニットの分解図を外面側から見た状態を示す分解斜視図。
【図３】本発明に係る携帯電話機のディスプレイユニットの分解図を内面側から見た状態を示す分解斜視図。
【図４】（Ａ）は、本発明に係る携帯電話機において、ディスプレイ部材、ホルダ部材、基板部材が順に積層されてなるディスプレイユニットを示す上面図、（Ｂ）は、（Ａ）のＡ方向における断面図。
【図５】（Ａ）は、本発明に係る携帯電話機のディスプレイユニットによる作用を説明するための図、（Ｂ）は、従来の携帯電話機のディスプレイユニットによる作用を説明するための図。
【符号の説明】
【００３１】
１…携帯電話機，１０…上筐体，１０ａ…上筐体の内面，１０ｂ…上筐体の外面，１１…下筐体，１１ａ…下筐体の内面，１１ｂ…下筐体の外面，１２…ヒンジ部，１３…液晶ディスプレイ，１３Ａ…ディスプレイユニット，１４…スピーカ，１５…操作キー，１６…マイクロフォン，２０…ディスプレイ部材，２１…ディスプレイ本体，２１ａ…ディスプレイ本体の内面，２１ｂ…ディスプレイ本体の外面，２２…ディスプレイパネル，２３…凸部，３０…ホルダ部材，３１…ホルダ本体，３１ａ…ホルダ本体の内面，３１ｂ…ホルダ本体の外面，３２、３３、３４…凹部，３５…リブ，４０…基板部材，４１…基板本体，４１ａ…基板本体の内面，４１ｂ…基板本体の外面，４２…基板部品実装部，４３…上下接続用ＢｔｏＢコネクタ，４４…ディスプレイコネクタ。
【図１】
0005071101.tif 000002
【図２】
0005071101.tif 000003
【図３】
0005071101.tif 000004
【図４】
0005071101.tif 000005
【図５】
0005071101.tif 000006